(57)【要約】      （修正有）【課題】本発明は、ラベルにより自身の電動工具用バッテリを他の電動工具用バッテリと容易に識別できるようにするとともに、低コストで見栄え良くラベルを貼ることができるようにすることを目的とする。【解決手段】本発明に係る電動工具用バッテリのラベルは、ラベル台紙に接着された状態で流通可能であり、そのラベル台紙から剥がされて電動工具用バッテリの平坦な側面に貼られることで、使用者がその電動工具用バッテリを他の電動工具用バッテリから識別できるように構成されている。【選択図】なし【特許請求の範囲】
【請求項１】
ラベル台紙に接着された状態で流通可能であり、そのラベル台紙から剥がされて電動工具用バッテリの平坦な側面に貼られることで、使用者がその電動工具用バッテリを他の電動工具用バッテリから識別できるように構成されていることを特徴とする電動工具用バッテリのラベル。
【請求項２】
請求項１に記載された電動工具用バッテリのラベルであって、
外形が電動工具用バッテリの側面に形成された凹部の外形に合わせられていることを特徴とする電動工具用バッテリのラベル。
【請求項３】
請求項１に記載された電動工具用バッテリのラベルであって、
外形が電動工具用バッテリの側面に形成された凸部の外形に合わせられていることを特徴とする電動工具用バッテリのラベル。
【請求項４】
請求項１から請求項３のいずれかに記載された電動工具用バッテリのラベルであって、
電動工具用バッテリの定格電圧が表示されていることを特徴とする電動工具用バッテリのラベル。
【請求項５】
請求項１から請求項４のいずれかに記載された電動工具用バッテリのラベルであって、
電動工具用バッテリの定格電圧に応じて外形が異なっていることを特徴とする電動工具用バッテリのラベル。
【請求項６】
請求項１から請求項５のいずれかに記載された電動工具用バッテリのラベルであって、
表面が透明なフィルムに覆われていることを特徴とする電動工具用バッテリのラベル。
【請求項７】
請求項１から請求項６のいずれかに記載された電動工具用バッテリのラベルであって、
記入可能な空欄が設けられていることを特徴とする電動工具用バッテリのラベル。
【請求項８】
請求項１から請求項７のいずれかに記載された電動工具用バッテリのラベルであって、
白紙部分からなり、印刷可能に構成されていることを特徴とする電動工具用バッテリのラベル。
【請求項９】
請求項１から請求項８のいずれかに記載された電動工具用バッテリのラベルであって、
一枚のラベル台紙に複数枚が貼り付けられており、そのうちの少なくとも一枚が印刷されており、その他が白紙部分からなることを特徴とする電動工具用バッテリのラベル。
【請求項１０】
請求項８、請求項９のいずれかに記載された電動工具用バッテリのラベルの印刷方法であって、
プリンタに接続されたユーザのパソコンに対して印刷用のデータがインターネット、あるいは記憶媒体を介して提供されるように構成されていることを特徴とする電動工具用バッテリのラベルの印刷方法。
【請求項１１】
請求項１から請求項９のいずれかに記載された電動工具用バッテリのラベルが貼着されている電動工具用バッテリ。
【発明の詳細な説明】
【技術分野】
【０００１】
本発明は、自身の電動工具用バッテリを他の電動工具用バッテリから識別するために使用される電動工具用バッテリのラベル、そのラベルの印刷方法等に関する。
【背景技術】
【０００２】
自身の電動工具を他の電動工具から識別するために、その電動工具の先端部分に模様付きのラベルを貼着する技術が特許文献１に記載されている。この技術では、前記ラベルは略円弧形状に形成されており、電動工具の先細外周面を一周するように前記ラベルをその電動工具の先端部に貼り付けられるように構成されている。さらに、前記電動工具では、前記ラベルを先細外周面に貼り付けた後、そのラベルを透明なカバーで覆い、前記ラベルを保護できるように構成されている。
このように、電動工具にラベルを貼ることで、自身の電動工具を他の電動工具から識別できるようになる。
【先行技術文献】
【特許文献】
【０００３】
【特許文献１】特開２００４−１７４６８８号公報（特許第４３１４８１７号）
【発明の概要】
【発明が解決しようとする課題】
【０００４】
一般的に、電動工具の所有者は、その電動工具用のバッテリを複数個所有しており、使用するバッテリ以外は充電して、適宜バッテリを取替えながら作業を行っている。このため、同一の現場に複数の作業者が出入りしている場合には、充電中の自身のバッテリと他人のバッテリとを誤認することがある。即ち、電動工具を識別するだけでは不十分であり、前記バッテリの識別を行えるようにする必要がある。
また、上記した電動工具用のラベルは、電動工具の先細外周面を一周するように貼り付ける構成のため、ラベルの形状が複雑で、そのラベルを先細外周面に均等に貼り付けるのが難しい。このため、ラベルに皺がよったり、膨らみが生じ、前記ラベルを貼った電動工具の見栄えが低下する。さらに、ラベルを透明なカバーで覆う構成のため、コスト高となる。
【０００５】
本発明は、上記問題点を解決するためになされたものであり、本発明が解決しようとする課題は、ラベルにより自身の電動工具用バッテリを他の電動工具用バッテリと容易に識別できるようにするとともに、低コストで見栄え良くラベルを貼ることができるようにすることである。
【課題を解決するための手段】
【０００６】
上記した課題は、各請求項の発明によって解決される。
請求項１の発明は、ラベル台紙に接着された状態で流通可能であり、そのラベル台紙から剥がされて電動工具用バッテリの平坦な側面に貼られることで、使用者がその電動工具用バッテリを他の電動工具用バッテリから識別できるように構成されていることを特徴とする。
【０００７】
本発明によると、ラベルを自身の電動工具用バッテリに貼り付けることで、その電動工具用バッテリを他人の電動工具用バッテリから識別できるようになる。
このため、同一の現場で複数の電動工具用バッテリが使用されている場合でも自身の電動工具用バッテリを容易に認識できるようになる。
また、ラベルは電動工具用バッテリの平坦な側面に貼られるため、ラベルを均等に電動工具用バッテリの表面に密着させられるようになり、ラベルに皺や膨らみが生じ難い。このため、電動工具用バッテリの見栄えが低下することがない。
さらに、ラベルが平坦な面に貼られるため、ラベルの形状が複雑にならず、さらにカバー等も不要になるため、コスト低減を図ることができる。
【０００８】
請求項２の発明によると、ラベルの外形が電動工具用バッテリの側面に形成された凹部の外形に合わせられていることを特徴とする。
このため、ラベルを電動工具用バッテリの側面の凹部に収納できるようになる。また、ラベルの端面が剥がれ難くなる。
請求項３の発明によると、ラベルの外形が電動工具用バッテリの側面に形成された凸部の外形に合わせられていることを特徴とする。
このため、ラベルで電動工具用バッテリの側面の凸部を覆えるようになる。
【０００９】
請求項４の発明によると、ラベルには、電動工具用バッテリの定格電圧が表示されていることを特徴とする。
このため、電動工具用バッテリの定格電圧を誤認し難くなる。
請求項５の発明によると、ラベルには、電動工具用バッテリの定格電圧に応じて外形が異なっていることを特徴とする。
このため、電動工具用バッテリに対するラベルの貼り付けミスを防止できるようになる。
請求項６の発明によると、ラベルの表面が透明なフィルムに覆われていることを特徴とする。
このため、ラベルが汚れ難くなる。
【００１０】
請求項７の発明によると、ラベルには、記入可能な空欄が設けられていることを特徴とする。
このため、ラベルに自分特有な事柄を記載できるようになり、他人との差別化が明確になる。
請求項８の発明によると、ラベルは白紙部分からなり、印刷可能に構成されていることを特徴とする。
このため、ラベルを自分好みの模様等で形成できるようになる。
請求項９の発明によると、一枚のラベル台紙に複数枚が貼り付けられており、そのうちの一枚が印刷されており、その他が白紙部分からなることを特徴とする。
請求項１０の発明によると、プリンタに接続されたユーザのパソコンに対して印刷用のデータがインターネット、あるいは記憶媒体を介して提供されるように構成されていることを特徴とする。
請求項１１に記載の電動工具用バッテリには、請求項１から請求項９のいずれかに記載された電動工具用バッテリのラベルが貼着されていることを特徴とする。
【発明の効果】
【００１１】
本発明によると、ラベルにより自身の電動工具用バッテリを他の電動工具用バッテリと容易に識別できるようになる。また、低コストで見栄え良くラベルを貼ることができるようになる。
【図面の簡単な説明】
【００１２】
【図１】本発明の実施形態１に係るラベルを貼る前の電動工具用バッテリの斜視図（Ａ図）、及び前記ラベルを貼った状態の電動工具用バッテリの側面図（Ｂ図）である。
【図２】本発明の実施形態１に係る四枚のラベルを備えるラベル集合シートの全体平面図（Ａ図）、そのラベル集合シートの縦断面図（Ｂ図）である。
【図３】本発明の実施形態１に係るラベル（印刷ラベル）の具体例を表す平面図（Ａ図〜Ｅ図）である。
【図４】変更例１に係るラベルを貼る前の電動工具用バッテリの斜視図（Ａ図）、及び前記ラベルを貼った状態の電動工具用バッテリの側面図（Ｂ図）である。
【図５】変更例１に係るラベル（印刷ラベル）の具体例を表す平面図（Ａ図、Ｂ図）である。
【図６】変更例２に係るラベルを貼る前の電動工具用バッテリの斜視図（Ａ図）、及び前記ラベルを貼った状態の電動工具用バッテリの側面図（Ｂ図）である。
【発明を実施するための形態】
【００１３】
［実施形態１］
以下、図１から図６に基づいて、本発明の実施形態１に係る電動工具用バッテリのラベルについて説明する。ここで、図中の前後左右、及び上下は、電動工具用バッテリの前後左右、及び上下に対応している。
【００１４】
＜電動工具用バッテリ１０の概要について＞
先ず、電動工具用バッテリ１０の概要について説明する。
電動工具用バッテリ１０は、電動工具（図示省略）に連結されることで、その電動工具の電源として使用されるバッテリであり、定格電圧が14.4Vに設定されている。また、電動工具用バッテリ１０は、充電器（図示省略）に連結されることで、その充電器によって充電を行なえるように構成されている。
電動工具用バッテリ１０は、図１（Ａ）（Ｂ）に示すように、複数本の蓄電池を収納する上部開放型のハウジング本体部１２と、そのハウジング本体部１２の上部開口１２ｈを塞ぐ蓋部１４とを備えている。ハウジング本体部１２と蓋部１４とは平面略角形に形成されており、そのハウジング本体部１２に対して蓋部１４が周囲４箇所でネジ止め可能に構成されている。
電動工具用バッテリ１０の蓋部１４の上面には、その左右両側位置に電動工具のバッテリ連結部（図示省略）との連結に使用されるスライドレール１６が前後方向に延びるように形成されている。そして、左右のスライドレール１６間に前記電動工具のコネクタ、及びターミナルが接続されるコネクタ１７、及び端子（図示省略）等が設けられている。
電動工具用バッテリ１０のハウジング本体部１２の左側面には、略長方形をした浅い凹部１２ｆが形成されており、その凹部１２ｆの底面が後記するラベル３２を貼り付けるための平面となっている。
【００１５】
＜ラベル集合シート３０について＞
ラベル集合シート３０は、図２（Ａ）に示すように、例えば、四枚のラベル３２を備える角形のシートである。ラベル集合シート３０は、図２（Ｂ）に示すように、そのラベル集合シート３０の表側を構成して、四枚のラベル３２を備えるシート表面部３３と、そのラベル集合シート３０の裏側を構成するラベル台紙３７と、前記シート表面部３３を剥離可能な状態でラベル台紙３７に貼り付ける接着層３５とから構成されている。前記シート表面部３３には、各々のラベル３２の外形に沿って切り込み３４が設けられており、前記ラベル３２をラベル台紙３７から剥がせるように構成されている。さらに、ラベル３２の表面は、汚れ防止用の透明なフィルムによって覆われている。または、後述のユーザが印刷した後に透明なフィルムを貼り付けしてもよい。
ラベル集合シート３０は、電動工具用バッテリ１０の付属品として、その電動工具用バッテリ１０と共に販売される。
【００１６】
＜ラベル３２について＞
ラベル３２は、電動工具用バッテリ１０の所有者が、自分の電動工具用バッテリ１０に貼着することで他人の電動工具用バッテリから識別できるようにするためのものである。ラベル３２は、電動工具用バッテリ１０の凹部１２ｆの外形（略長方形）に合わせて長方形状に形成されている。
ラベル３２には、予め印刷されている印刷ラベル３２１と、白紙の状態である白紙ラベル３２２との二種類がある。そして、前記ラベル集合シート３０は、二枚の印刷ラベル３２１と二枚の白紙ラベル３２２とから構成されている。
印刷ラベル３２１には、図２（Ａ）、図３に示すように、上半分の位置にメーカ名と、電動工具用バッテリ１０の定格電圧が記載されており、下半分の位置が空欄３２ｋとなっている。そして、空欄３２ｋの部分にユーザが自身の名前や必要事項を記載できるようになっている。また、印刷ラベル３２１には、図３（Ａ）（Ｂ）に示すように、背景の色彩のみを変えたもの、図３（Ｃ）〜（Ｅ）に示すように、背景の模様を変えたもの、あるいは背景の色彩と模様の双方を変えたもの等（図示省略）、多数種類が準備されている。ここで、図３には、模様の一例として桜模様（図３（Ｃ））、雪の結晶（図３（Ｄ））、及び波（図３（Ｅ））等を例示したが、模様の種類はこれに限られない。
【００１７】
白紙ラベル３２２は、図２（Ａ）に示すように、ユーザがパソコン、プリンタ等を使用して自身で印刷できるように構成されたラベルである。ここで、白紙ラベル３２２の印刷に使用される複数種類のデータは、インターネットにより、あるいは記憶媒体を介してユーザのパソコンに提供される。このとき、前記データに基づく模様等のラベル３２を実際に電動工具用バッテリ１０に貼り付けた状態のイメージ（３Ｄ画像）をインターネット上で閲覧できるようになっている。このため、希望する模様データのイメージが明確になり、模様データの選択ミスを防止できるようになる。
そして、前記データに基づいて白紙ラベル３２２に実際に模様等が印刷されるときに、パソコン内の日時を読み取り、その印刷日時がプリントされるようになる。これにより、電動工具用バッテリ１０の使用開始日時が明確になる。
【００１８】
＜本実施形態に係る電動工具用バッテリ１０のラベル３２の長所について＞
本実施形態に係る電動工具用バッテリ１０のラベル３２によると、そのラベル３２を自身の電動工具用バッテリ１０に貼り付けることで、その電動工具用バッテリ１０を他人の電動工具用バッテリから識別できるようになる。
このため、同一の現場で複数の電動工具用バッテリが使用されている場合でも自身の電動工具用バッテリ１０を容易に認識できるようになる。
また、ラベル３２は電動工具用バッテリ１０の平坦な側面に貼られるため、ラベル３２を均等に電動工具用バッテリ１０の表面に密着させ易くなる。このため、ラベル３２に皺や膨らみが生じ難くなり、電動工具用バッテリ１０の見栄えが低下することがない。
さらに、ラベル３２が平坦な面に貼られるため、ラベル３２の形状が複雑にならず、さらにカバー等も不要になるため、コスト低減を図ることができる。
【００１９】
また、ラベル３２の外形が電動工具用バッテリ１０の凹部１２ｆの外形に合わせられているため、ラベル３２を電動工具用バッテリ１０の凹部１２ｆに収納できるようになる。
また、ラベル３２には、電動工具用バッテリ１０の定格電圧が表示されているため、電動工具用バッテリ１０の定格電圧を誤認し難くなる。
また、ラベル３２には、記入可能な空欄３２ｋが設けられているため、ラベル３２に自分特有な事柄を記載できるようになり、他人との差別化が明確になる。
さらに、白紙ラベル３２２を使用することで、ラベル３２を自分好みの模様等で形成できるようになる。
【００２０】
＜変更例＞
ここで、本発明は上記実施形態に限定されるものではなく、本発明の要旨を逸脱しない範囲における変更が可能である。本実施形態では、図１等に示すように、定格電圧が14.4Vの電動工具用バッテリ１０に使用される略長方形状のラベル３２を例示した。しかし、図４、図５に示すように、定格電圧が18Vの電動工具用バッテリ４１における側面凸部４１ｆの平面形状に合わせてラベル４３を帯状に長く形成することも可能である。なお、前記ラベル４３（印刷ラベル）は、図５（Ａ）（Ｂ）に示すように、背景の色彩のみを変えたもの、あるいは、背景の色彩と模様を変えたもの等（図示省略）、多数種類を準備することが可能である。また、白紙ラベル（図示省略）を準備することも可能である。
また、図６（Ａ）（Ｂ）に示すように、定格電圧が36Vの電動工具用バッテリ４５における側面凹部４５ｆの平面形状に合わせてラベル４７を形成することも可能である。
このように、ラベル３２，４３，４７の外形が電動工具用バッテリ１０，４１，４５の定格電圧に応じて異なっているため、電動工具用バッテリ１０，４１，４５に対するラベル３２，４３，４７の貼り付けミスを防止できるようになる。
【００２１】
ここで、前記ラベル３２，４３，４７を、通常のように、紙、あるいは樹脂の薄板等で形成する代わりに、例えば、放熱性の高いアルミ薄板で形成することも可能である。これにより、電動工具使用時に電動工具用バッテリ１０，４１，４５の温度上昇を抑制することができる。
さらに、ラベル３２，４３，４７の素材に蓄光素材を使用することで、暗所でも電動工具用バッテリ１０，４１，４５の所在が分かるようになる。
また、ラベルに肉厚のクッション性を有する素材を用いることにより、製品が落下した時等の衝撃を和らげる緩衝材としての機能を当該ラベルに併せ持たせることができる。
さらに、ラベルに滑り止め素材を用いることにより、傾斜している場所に工具を置いた場合に滑りにくくすることができる。
バッテリを取り付ける製品によっては、外観的にバッテリの上下が逆になる場合がある。そのため、実施例とはあえて上下逆向きの印刷をして、製品取り付け時に正しい向きでラベルが見られるようにしてもよい。
実施例では、ハウジング本体部のみにラベルを貼り付けたが、ハウジング本体と蓋部にまたがってラベルを貼り付けしてもよい。これにより、合わせ面からの水の浸入を防ぐこともでき、また外観上合わせ面が目立たなく、デザイン上も好ましい。
【符号の説明】
【００２２】
１０・・・・電動工具用バッテリ
１２ｆ・・・凹部
３２・・・・ラベル
３２ｋ・・・空欄
３７・・・・ラベル台紙
４１ｆ・・・側面凸部
４１・・・・電動工具用バッテリ
４３・・・・ラベル
４５ｆ・・・側面凹部
４５・・・・電動工具用バッテリ
４７・・・・ラベル
３２１・・・印刷ラベル
３２２・・・白紙ラベル
【図１】
2012230303.tif 000002
【図２】
2012230303.tif 000003
【図３】
2012230303.tif 000004
【図４】
2012230303.tif 000005
【図５】
2012230303.tif 000006
【図６】
2012230303.tif 000007